(57)【要約】【課題】  より簡単に且つ安価に構成できる油入り変圧器を提供する。【解決手段】  巻線及び鉄心が絶縁油Ａに浸されて収納されたタンク１と、該タンク１に接続された複数の接続管体２，…とを備えた油入り変圧器において、接続管体２，…のうち、タンク１内部の事故の際に噴出される絶縁油Ａの貯油空間Ｂを有する接続管体２ａに、タンク１との間で絶縁油Ａの噴油流路を形成するための噴油管体１５を接続する。【選択図】図１
2008016489.tif 000002
【特許請求の範囲】
【請求項１】
巻線及び鉄心が絶縁油（Ａ）に浸されて収納されたタンク（１）と、該タンク（１）に接続された複数の接続管体（２，…）とを備えた油入り変圧器において、
上記接続管体（２，…）のうち、タンク（１）内部の事故の際に噴出される絶縁油（Ａ）の貯油空間（Ｂ）を有する接続管体（２ａ）に、タンク（１）との間で絶縁油（Ａ）の噴油流路を形成するための噴油管体（１５）が接続されてなることを特徴とする油入り変圧器。
【請求項２】
上記接続管体（２ａ）は、その内部に導入された管路材（３）と、該管路材（３）に挿通された電力ケーブル（４）と、該電力ケーブル（４）及び巻線の間を接続したブスバー（７）とを有するブスダクトからなることを特徴とする請求項１に記載の油入り変圧器。
【請求項３】
上記接続管体（２ａ）の貯油空間（Ｂ）を形成する内壁の接合部、管路材（３）の導入部位、管路材（３）の開口端部と電力ケーブル（４）の隙間の少なくとも一つがシール材（１０）によって密封されてなることを特徴とする請求項２に記載の油入り変圧器。
【請求項４】
上記接続管体（２ａ）の内部において、噴油管体（１５）の端部が導入されて下方に折り曲げられ、さらに、その噴出口（１６）が該接続管体（２ａ）の側壁に対峙してなることを特徴とする請求項１乃至３のいずれかに記載の油入り変圧器。
【請求項５】
上記接続管体（２ａ）の内部において、噴油管体（１５）から噴出される絶縁油（Ａ）の流れを貯油空間（Ｂ）に案内するためのガイド板（１７）が設けられてなることを特徴とする請求項１乃至４のいずれかに記載の油入り変圧器。
【発明の詳細な説明】
【技術分野】
【０００１】
本発明は、タンクの内部でアーク放電を伴う事故が発生した場合、絶縁油を外部に放出してタンクの破壊を防止する油入り変圧器に関する。
【背景技術】
【０００２】
従来のこの種の油入り変圧器は、例えば図５に示すように、巻線及び鉄心が絶縁油に浸されて収納されたタンク３０と、該タンク３０に接続された複数の接続管体３１，…と、タンク３０に噴油管体４５を介して接続された排油タンク４６とから構成されている。
【０００３】
上記接続管体３１のうち、一次側に接続された接続管体３１ａは、図５及び図６に示すように、ブスダクトからなり、底部から略直立した状態で導入された可撓性を有する管路材３２と、該管路材３２に挿通された電力ケーブル３３と、該接続管体２ａの側壁の上部に水平方向に取り付けられた碍子３４と、該碍子３４の先端部に設けられた電力ケーブル４のブラケット３５と、電力ケーブル３５の先端部に接続されたブスバー３６とが設けられている。該ブスバー３６は、碍子３４を介して一次側巻線に接続されている。さらに、接続管体３１ａの下部の前後左右の各側面にそれぞれ換気口３７が形成されており、該換気口３７には、複数の通気孔３９，…が穿設された換気板３８が装着されている。なお、上記排油タンク４６が地中に埋設されているものもある。
【０００４】
排油タンク４６は、上述したように、事故の際、タンク３０から放出された絶縁油Ａが噴油管体４５を通って貯油されるようになっている。
【０００５】
ところが、上記油入り変圧器の場合、排油タンク４６の設置スペースが必要になり、全体の設置スペースが大きくなってしまうことに加えて、排油タンク４６の製作、及びその基礎が必要になるため、その分コスト高になるという問題がある。
【０００６】
また、他の従来例としては、例えば、鉄心及び巻線が絶縁油に浸されて収納されたタンクと、該タンク内部に配設された貯油空間と、タンク内部の事故による圧力上昇を絶縁油の放出によって緩和させる放圧装置と、放出される絶縁油を貯油空間に導く導油管路とを備えているものが公知になっている（特許文献１参照）。
【０００７】
この場合、タンク内に貯油空間を配設することで、排油タンクの設置スペースをなくして、安価な油入り変圧器を提供している。
【特許文献１】特開２０００−２１６４５号公報
【発明の開示】
【発明が解決しようとする課題】
【０００８】
しかしながら、上記公報の油入り変圧器は、タンク内に貯油空間を形成する必要があるため、タンクの構造が複雑で組立にも手間がかかり、その分コスト高になるという問題がある。
【０００９】
そこで、本発明は、上記問題点を鑑み、より簡単に且つ安価に構成できる油入り変圧器を提供することを目的とする。
【課題を解決するための手段】
【００１０】
前記課題を解決するために、本発明に係る油入り変圧器は、巻線及び鉄心が絶縁油Ａに浸されて収納されたタンク１と、該タンク１に接続された複数の接続管体２，…とを備えた油入り変圧器において、上記接続管体２，…のうち、タンク１内部の事故の際に噴出される絶縁油Ａの貯油空間Ｂを有する接続管体２ａに、タンク１との間で絶縁油Ａの噴油流路を形成するための噴油管体１５が接続されてなるものである。
【００１１】
したがって、既設の接続管体２ａを絶縁油Ａの貯油タンクとして兼用するようにしたので、貯油タンクや空間を別途設ける必要がなく、構成が極めて簡単になると共に、安価になる。
【００１２】
また、絶縁油Ａの貯油空間Ｂを有する接続管体２ａとして、その内部に導入された管路材３と、該管路材３に挿通された電力ケーブル４と、該電力ケーブル４及び巻線の間を接続したブスバー７とを有するブスダクトを使用することが好ましい。
【００１３】
この場合、絶縁油Ａが電力ケーブル４やブスバー７に直接接触することがないので、電力ケーブル４、及びブスバー７の交換や清掃が不要になる。
【００１４】
さらに、接続管体２ａの貯油空間Ｂを形成する内壁の接合部、管路材３の導入部位、管路材３の開口端部と電力ケーブル４の隙間の少なくとも一つがシール材１０によって密封するのがよい。
【００１５】
この場合、接続管体２ａの貯油空間Ｂを形成する内壁の接合部、或いは管路材３の導入部位がシール材１０によって密封されることで、接続管体２ａから絶縁油Ａが漏れ出ることはない。さらに、絶縁油Ａが管路材３と電力ケーブル４との隙間がシール材１０によって密封された場合は、この隙間に絶縁油Ａが貯油されることがないので、接続管体２ａに貯油された絶縁油Ａを外部に容易に排出できる。
【００１６】
そして、接続管体２の内部において、噴油管体１５の端部を導入して下方に折り曲げ、さらに、その噴出口１６を接続管体２ａの側壁に対峙させるようにしてもよい。
【００１７】
そうすれば、絶縁油Ａが接続管体２ａの側壁に向けて噴油されるので、該側壁を伝って接続管体２ａの下部の貯油空間に容易に案内できる一方、電力ケーブル４やブスバー７などの部材を絶縁油Ａで濡らすことがない。
【００１８】
加えて、接続管体２ａの内部において、噴油管体１５から噴出される絶縁油Ａの流れを貯油空間Ｂに案内するためのガイド板１７を設けるようにしてもよい。
【００１９】
よって、簡単な構成で噴油管体１５からの噴出される絶縁油Ａを貯油空間Ｂに余すことなく貯油できる。
【発明の効果】
【００２０】
以上のように、本発明によれば、既設の接続管体を貯油タンクとして兼用するので、極めて簡単に且つ安価に構成できる効果がある。
【００２１】
また、接続管体内部における絶縁油の噴油手段として、接続管体の側壁に向けて噴油させたり、絶縁油の流れをガイド板によって貯油空間に案内したりするようにしたので、事故の際、タンクから噴出される絶縁油を何ら支障きたすことなく接続管体内に貯油させることができる。一方、貯油空間を形成する接続管体の内壁の接合部、管路材の導入部位、管路材の開口端部と電力ケーブルの隙間の少なくとも一つをシール材によって密封することで、絶縁油の漏れを防止できると共に、絶縁油を外部に円滑に排出できる。
【発明を実施するための最良の形態】
【００２２】
以下、本発明の一実施形態に係る油入り変圧器について、添付図面を参照しつつ説明する。
【００２３】
本実施形態の油入り変圧器は、図１及び図２に示すように、巻線及び鉄心が絶縁油Ａに浸されて収納されたタンク１と、該タンク１に接続された複数の接続管体２，…と、該接管体２，…のうち、絶縁油Ａの貯油空間Ｂを有する接続管体２ａと、該接続管体２ａ及びタンク１の間に接続された噴油管体１５とから構成されている。
【００２４】
接続管体２ａは、ブスダクトからなり、その内部の下側に絶縁油Ａの貯油空間Ｂを有しており、底部から略直立した状態で導入された可撓性を有する管路材３と、該管路材３に挿通された電力ケーブル４と、該接続管体２ａの側壁の上部に水平方向に取り付けられた碍子５と、該碍子５の先端部に設けられた電力ケーブル４のブラケット６と、電力ケーブル４の先端部に接続されたブスバー７とが設けられている。該ブスバー７は、碍子５を介して一次側巻線に接続されている。なお、管路材３としては、例えば古河電工社製のエフレックス（商品名）を使用するのが好ましい。
【００２５】
そして、接続管体２ａの側壁の下部には、排油バルブ８が設けられていると共に、側壁の上部には、接続管体２ａの内部に連通する換気ダクト９が設けられている。接続管体２ａの底壁と側壁の接合部位はシール材１０によって密封されている。
【００２６】
電力ケーブル４は、管路材３に挿通されて、管路材３の上端開口部と電力ケーブル４との隙間、及び管路材３の導入部位の周囲は、シール材１０によって密封されている。
【００２７】
噴油管体１５は、一端部がタンク１に接続されると共に、他端部が接続管体２ａの内部に導入されており、噴油管体１５は、接続管体２ａの内部において、下方に折り曲げられて他端部の噴出口１６が接続管体２ａの側壁に対峙している。この理由としては、絶縁油Ａが接続管体２ａの側壁に向かって噴出することで、絶縁油Ａが電力ケーブル４やブスバー７に直接接触することを回避し、これらの部材の交換及び清掃の手間を不要にするためである。
【００２８】
そして、タンク１内部において事故が生じた場合、タンク１内部の絶縁油Ａが噴油管体１５を介して接続管体２ａの内部に排出される。この際、絶縁油Ａは、図２に示すように、噴油管体１５によって接続管体２ａの側壁に向かって噴油されて、接続管体２ａの下部の貯油空間Ｂに貯油される。
【００２９】
また、貯油された絶縁油Ａは、管路材３に接触するが電力ケーブル４に直接接触することはない。例え温度上昇している絶縁油Ａが電力ケーブル４に直接接触することがあったとしても、電力ケーブル４の外側の被覆部材が耐熱性を有しているので問題はない。
【００３０】
一方、接続管体２ａの内部は換気ダクト９を介して換気されると共に、接続管体２ａ内部の絶縁油Ａは排油バルブ８によって外部に排出されるように構成されているので、接続管体２ａが電気導体（電力ケーブル４やブスバー７など）の収納と絶縁油Ａの貯油を兼有したとしても問題はない。
【００３１】
なお、上記実施形態の場合、噴油管体１５の噴出口１６が接続管体２ａの側壁に対峙するようにしたが、図３に示すように、噴油管体１５としてエルボ管を使用すると共に、その上方にガイド板１７を水平に設けて、絶縁油Ａの飛散を防止する一方、絶縁油Ａを貯油空間Ｂに案内するようにしてもよく、図４に示すように、噴油管体１５を接続管体２ａの側壁に貫設すると共に、その上方に絶縁油Ａの流れを貯油空間Ｂに案内するガイド板１７を傾斜させて取り付けるようにしてもよい。
【００３２】
また、管路材１５、電力ケーブル４、及びブスバー７などが収納された接続管体２ａ（ブスダクト）に絶縁油Ａを貯油するようにしたが、これに限定されるものではなく、絶縁油Ａの貯油空間Ｂを有する接続管体２ａであればよい。
【図面の簡単な説明】
【００３３】
【図１】本発明の一実施形態に係る油入り変圧器を示す図である。
【図２】図１の接続管体（ブスダクト）の側断面図である。
【図３】接続管体の変形例を示した側断面図である。
【図４】接続管体の他の変形例を示した側断面図である。
【図５】従来例の油入り変圧器を示す図である。
【図６】図５の接続管体（ブスダクト）の側断面図である。
【符号の説明】
【００３４】
１…タンク、２、２ａ、３１、３１ａ…接続管体、３…管路材、４…電力ケーブル、５…碍子、６…ブラケット、７…ブスバー、８…排油バルブ、９…換気ダクト、１０…シール材、１５…噴油管体、１６…噴出口、１７…ガイド板、３０…タンク、３２…管路材、３３…電力ケーブル、３４…碍子、３５…ブラケット、３６…ブスバー、３７…換気口、３８…換気板、３９…換気孔、４５…噴油管体、４６…排油タンク、Ａ…絶縁油、Ｂ…貯油空間
【図１】
2008016489.tif 000003
【図２】
2008016489.tif 000004
【図３】
2008016489.tif 000005
【図４】
2008016489.tif 000006
【図５】
2008016489.tif 000007
【図６】
2008016489.tif 000008